(57)【特許請求の範囲】
【請求項１】
アンカー本体（１）と拡開スリーブ（７）とを有し、アンカー本体（１）には、据付方向（Ｓ）に見て少なくとも部分的に縮小している内径を有する中心孔（２）を設け、この中心孔（２）に対して据付方向（Ｓ）に連続する前方領域（３）に荷重掛合手段としての雌ねじ（８）を設け、据付方向（Ｓ）とは反対側の後方領域（４）にカラー（６）を設け、この後方領域（４）を前記前方領域（３）よりも大きい外径にし、また拡開スリーブ（７）には円筒形の内径を設け、また据付方向（Ｓ）に見て少なくとも部分的に縮小していく外径を設けた拡開アンカーにおいて、アンカー本体（１）の据付方向（Ｓ）に面する前記前方領域（３）に、雌ねじ（８）の据付方向（Ｓ）とは反対側に距離（ａ）をとって隣接して回動部分として作用する材料脆弱部分を設け、また前記前方領域（３）に少なくとも２個の長手方向スリット（９）を設け、この長手方向スリット（９）を据付方向（Ｓ）に開放しまた少なくとも前記材料脆弱部分の領域まで延在させて設けたことを特徴とする拡開アンカー。
【請求項２】
前記材料脆弱部分を周方向の溝（１１）により構成した請求項１記載の拡開アンカー。
【請求項３】
前記溝（１１）をアンカー本体（１）の内部輪郭に設けた請求項１又は２記載の拡開アンカー。
【請求項４】
前記距離部分（ａ）の直径を、最大でほぼ前記雌ねじ（８）の直径に等しいものとした請求項１乃至３のうちのいずれか一項に記載の拡開アンカー。
【請求項５】
前記溝（１１）の深さ（ｒ）を距離（ａ）の０．０５倍〜３倍の大きさとした請求項４記載の拡開アンカー。
【請求項６】
前記材料脆弱部分は弾性材料を使用することにより、回動領域をなすようにした請求項１記載の拡開アンカー。
【請求項７】
前記アンカー本体（１）及び拡開スリーブ（７）を合成樹脂材料により構成した請求項１乃至６のうちのいずれか一項に記載の拡開アンカー。
【発明の詳細な説明】
【０００１】
【発明の属する技術分野】
本発明は、アンカー本体と拡開スリーブとを有し、アンカー本体には、据付方向に見て少なくとも部分的に縮小している内径を有する中心孔を設け、この中心孔に対して据付方向に連続する前方領域に荷重掛合手段としての雌ねじを設け、据付方向とは反対側の後方領域にカラーを設け、この後方領域を前方領域よりも大きい外径にし、また拡開スリーブには円筒形の内径を設け、また据付方向に見て少なくとも部分的に縮小していく外径を設けた拡開アンカーに関するものである。
【０００２】
【従来の技術】
上述の拡開アンカーは、特に、中天井、化粧張り、骨組み、パイプ、導管等から吊り下げを行なうのに使用する。このような拡開アンカーは部品点数が多く、従って、製造コストが安価であり、作業時間が少なく、工具に関して特別な費用をかけずに据付ることができることが要求される。従って、拡開アンカーは、アンカー本体の一部を荷重収容部として使用するよう構成する。拡開素子をアンカー本体に打ち込むことによって、岩石、コンクリート、組積み構造等の収容材料に予め準備した収容孔内で拡開させる。更に、このような拡開アンカーは脆い収容材料例えば、木材にも使用される。
【０００３】
上述の拡開アンカーは例えば、ドイツ国特許公開第１９５１２４１５号に記載されているものがあり、この場合、カラー付きの円筒形形状のアンカー本体及び拡開スリーブにより構成する。アンカー本体には中心孔を設ける。この既知の拡開アンカーは、据付方向とは反対側の開口部から中心孔に打ち込む拡開スリーブにより拡開可能にする。アンカー本体の前方領域において、中心孔の内部輪郭を雌ねじとして構成し、荷重掛合手段として作用させる。荷重を固定するため、例えば、ねじ孔に適合するねじロッドを挿入し、雌ねじに螺合させる。ねじロッドの収容を確実にするため、拡開スリーブの内径を前方領域の中心孔の内径よりも大きいか又は等しくする。既知の拡開アンカーは、特別な据付工具を必要とせずに単にハンマーだけで簡単に据付ることができるようにしている。更に、アンカー本体の後方端部に設けたカラーにより材料孔の深さに対応する的確な拡開アンカーの拡開を確実にしている。
【０００４】
しかし、このような既知の拡開アンカーでは、ねじロッドを拡開アンカーの雌ねじ部（ねじ孔）にねじ込んで固定しなければならないという欠点がある。このようなねじ込み作業は時間がかかり、経済性の観点からは不利である。
【０００５】
更に、ねじロッドは、例えば、精密鋸を使用して適合する長さにしなければならず、このことにより時間が相当かかることになる。この目的のため精密鋸の代わりにボルトカッタを使用することもできるが、この場合、ねじロッドのねじ端部が損傷を受ける恐れがある。このような状況のため、ねじ込み作業は一層時間のかかるものとなり、現実的でない。
【０００６】
【発明が解決しようとする課題】
従って、本発明の目的は、ねじロッドの位置決めが迅速かつ確実であり、また製造コストが安価である拡開アンカーを得るにある。
【０００７】
【課題を解決するための手段】
この目的を達成するため、本発明拡開アンカーは、アンカー本体の据付方向に面する前方領域に、雌ねじの据付方向とは反対側に距離をとって隣接して回動部分として作用する材料脆弱部分を設け、また前記前方領域に少なくとも２個の長手方向スリットを設け、この長手方向スリットを据付方向に開放しまた少なくとも前記材料脆弱部分の領域まで延在させて設けたことを特徴とする。
【０００８】
この構成により、雌ねじは、少なくとも２個の長手方向スリット、及び回動部分即ちヒンジ部分によって半径方向外方に撓みまたばね復帰するねじセグメントに分割され、拡開アンカーを収容材料に固定配置した後にねじセグメントが拡開し、ねじロッドは据付方向への軸線方向圧力の下に中心孔の所定位置まで移動することができる。このようにねじ込み作業が不要になったため、一方では作業時間が節減され、また他方ではねじ端部の損傷も少なくなる。これにより、ボルトカッタを使用してねじロッドの長さを調整することができる。位置決めしたねじロッドの据付方向とは反対側の作用端部に荷重を掛合させ、ねじセグメントは荷重受け部として作用する。
【０００９】
料脆弱部分は周方向の溝により構成すると好適である。溝の形成は製造技術上簡単であり、従って、コストが安価である。
【００１０】
好適には、この溝はアンカー本体の内部輪郭に設ける。この溝の配置では雌ねじの形成時に同時に形成することができ、拡開アンカーの製造コストを一層低減することができる。
【００１１】
更に、少なくとも材料脆弱部分をなす回動領域に弾性材料を使用することにより、回動部分の高い弾性で作用できるようにすると好適である。
【００１２】
ねじロッドを僅かな力で導入することができるようにするため、回動部分にいたるまでの距離部分の直径を、最大でほぼ前記雌ねじの直径に等しいものとすると好適である。
【００１３】
溝の深さを距離の０．０５倍〜３倍の大きさとすると、荷重掛合手段の保持機能を最適にすることができるようになる。このようにすると、回動部分は回動ポイントとして、またねじ部分は力掛合ポイントとして作用することができる。溝の深さは、製造技術上でも制御が簡単になる。
【００１４】
アンカー本体及び拡開スリーブを合成樹脂材料により構成すると、拡開アンカーの製造コストが低減される。拡開アンカーの材料としては金属も使用することができる。
【００１５】
【発明の実施の形態】
次に、図面につき本発明の好適な実施の形態を説明する。
【００１６】
図面は、本発明による拡開アンカーの実施例を示し、この実施例おいては、円筒形のアンカー本体１に中心孔２及び拡開スリーブ７を設ける。このアンカー本体１は据付方向Ｓの前方領域３と、据付方向Ｓとは反対側の後方領域４を有する。アンカー本体１の後方領域４はスリット５により拡開領域を構成する。アンカー本体１の据付方向Ｓとは反対側の端部にカラー６を設け、このカラー６は例えば、コンクリートのような収容材料１２に拡開アンカーを据え付ける際の止め部として作用させる。
【００１７】
アンカー本体１の後方領域４の中心孔２は拡開スリーブ７を収容するのに使用し、この拡開スリーブ７は拡開素子として作用する。中心孔２の内部輪郭は長さ全体にわたり円錐形にし、中心孔２の内径が据付方向に減少するものとする。拡開スリーブ７の外側輪郭はアンカー本体１の中心孔２の内部輪郭に補完し合う形状に形成する。中心孔２に拡開スリーブ７を打ち込む際に拡開領域を拡開する。中心孔２及びこの中心孔に補完し合う構成の拡開スリーブ７が円錐形形状であるため、打ち込まれる拡開スリーブ７の拡開力はアンカー本体１と拡開スリーブ７との間の接触面に均一に分散される。据付の制御を可能にするため、拡開スリーブ７は、打ち込み距離がカラーから突出することなくこのカラー６と同一平面になったとき終了するように制限する。
【００１８】
アンカー本体１の前方領域３には、後方領域４よりも外径及び内径を小さくしかつ荷重掛合手段としての雌ねじ８を設ける。この雌ねじ８の領域８において、２個の長手方向のスリット９を設け、これらスリット９をアンカー本体１の据付方向Ｓに面する側の端部を開放する。雌ねじ８の据付方向Ｓとは反対側に距離ａをおいて隣接させてアンカー本体１に塑性回動部分を付与し、この塑性回動部分は中心孔２の内周に設けた深さｒの溝１１により構成する。この溝１１まで延在する長手方向のスリット９によって、アンカー本体１の雌ねじ８の領域で外方に撓むまた復帰ばねのように作用するねじセグメント１３に分割される。この構成により、ねじロッド１０は据付方向Ｓに僅かな軸線方向の圧力を加えて中心孔２内の所定位置まで押し込むことができる。このように位置決めしたねじロッド１０に対して据付方向Ｓとは逆向きに作用する荷重を支持し、ばねのようなねじセグメント１３は確実な荷重受け部として作用する。
【図面の簡単な説明】
【図１】  本発明の好適な実施の形態の断面図である。
【符号の説明】
1  アンカー本体
2  中心孔
3  前方領域
4  後方領域
5  スリット
6  カラー
7  拡開スリーブ
8  雌ねじ
9  スリット
10  ねじロッド
11  溝
12  収容材料
13  ねじセグメント
【図１】
0004334156.tif 000002